(57)【要約】【課題】  未成年者等の使い過ぎ等を防止した携帯電話装置を提供する。【解決手段】  アンテナで受信した電波をＲＦ部で変換し、送受信制御部により上記ＲＦ部との間でデータを送受信し、電話番号記録部により特定の電話番号を記憶し、電話番号比較部により上記特定の電話番号と受信した電話番号とを比較して一致検出を行い、記憶部により書き換え可能な情報／ソフトウェアを記憶してその情報／ソフトウェアに基づき通話／サービス実行部により通話や各種サービスを実行する携帯電話装置に、上記電話番号比較部の一致信号により上記特定の電話番号を持つ電話装置から通信回線を通じて上記記憶部をアクセスして上記通話／サービス実行部で実行される機能の一部又は全部を制限できるようにする。【選択図】  図５
2005311482.tif 000002
【特許請求の範囲】
【請求項１】
電波を送受信するアンテナと、
上記アンテナで受信した電波を変換するＲＦ部と、
上記ＲＦ部とデータを送受信する送受信制御部と、
特定の電話番号を記憶する電話番号記憶部と、
上記特定の電話番号と受信した電話番号とを比較して一致検出を行う電話番号比較部と、
書き換え可能な情報／ソフトウェアを記憶する記憶部と、
上記記憶部の情報／ソフトウェアに基づき通話や各種サービスを実行する通話／サービス実行部とを備え、
上記電話番号比較部での一致信号により接続中の相手方電話装置から通信回線を通じて上記記憶部をアクセスして上記通話／サービス実行部で実行される機能の一部又は全部を制限することが可能とされてなることを特徴とする携帯電話装置。
【請求項２】
請求項１において、
上記記憶部は、許容上限とされた携帯電話の通話料金、通話時間、パケット数及び制限されるメール・ウェブ情報を含み、かかる記憶部の情報を参照して上記通話／サービス実行部は、上記情報に対応した送信、着信を制限することを特徴とする携帯電話装置。
【請求項３】
請求項１において、
上記電話番号記憶部は、上記電話番号記憶部を持つ携帯電話装置自身では記憶された電話番号の変更が不可能とされること特徴とする携帯電話装置。
【請求項４】
請求項１において、
上記電話番号比較部の一致信号により接続中の相手方電話装置から通信回線を通じて上記記憶部をアクセスして、既ソフトウェアを書き替えて上記通話／サービス実行部による一切の機能の停止又は電源投入操作を不能にしてなることを特徴とする携帯電話装置。
【発明の詳細な説明】
【技術分野】
【０００１】
本発明は、携帯電話装置に関し、例えば未成年者層向けの携帯電話装置の使い過ぎ対策に利用して有効な技術に関するものである。
【背景技術】
【０００２】
携帯電話装置は普及し、子供から大人まで多くの人々が所持している。その中で発生している問題として、携帯電話の使い過ぎによる高額料金の問題が存在する。それに対処する方法の一つとして、携帯電話にリミットモードを設け、それに４桁の暗証番号とパスワードにより制限項目を設定できる携帯電話が提案されている。なお、紛失や盗難等の際に他の電話器から機能制限を行うようにした携帯電話装置の例としては、  特開２００２−２８１１４８公報がある。
【特許文献１】特開２００２−２８１１４８公報
【発明の開示】
【発明が解決しようとする課題】
【０００３】
携帯電話装置本体にリミットモードを設け暗証番号とパスワードにより設定する方法は、携帯電話装置単体で実現できるので簡単である。しかし、暗証番号やパスワードは盗用されたり、試行錯誤により解析されたりして、リミットモードを解除される可能性がある。また、リミットモードを設定するたびに暗証番号やパスワードを入力する必要があり、利便性が損なわれる。そこで暗証番号やパスワードの代わりに特定の電話番号を記憶し、その特定の電話番号から各機能を制限したり、制限を解除できたりするようにすることを考えた。
【０００４】
この発明の目的は、未成年者等の使い過ぎ等を防止した携帯電話装置を提供することにある。この発明の前記ならびにそのほかの目的と新規な特徴は、本明細書の記述および添付図面から明らかになるであろう。
【課題を解決するための手段】
【０００５】
本願において開示される発明のうち代表的なものの概要を簡単に説明すれば、下記の通りである。すなわち、アンテナで受信した電波をＲＦ部で変換し、送受信制御部により上記ＲＦ部との間でデータを送受信し、電話番号記録部により特定の電話番号を記憶し、電話番号比較部により上記特定の電話番号と受信した電話番号とを比較して一致検出を行い、記憶部により書き換え可能な情報／ソフトウェアを記憶してその情報／ソフトウェアに基づき通話／サービス実行部により通話や各種サービスを実行する携帯電話装置に、上記電話番号比較部の一致信号により上記特定の電話番号を持つ電話装置から通信回線を通じて上記記憶部をアクセスして上記通話／サービス実行部で実行される機能の一部又は全部を制限できるようにする。
【発明の効果】
【０００６】
記憶した親権者等の電話番号を暗号として携帯電話の各機能を制限して、未成年者等による携帯電話装置の使い過ぎによる高額料金の請求を防ぐ事が出来る。携帯電話を紛失した場合にも強制的にデータの盗難等を防止することも出来る。
【発明を実施するための最良の形態】
【０００７】
図１には、この発明に係る携帯電話装置の一実施例の概略ブロック図が示されている。１０１はアンテナであり、電波の受信と送信とを行う。ＲＦ部１０２は、受信電波を入力し、又は送信電波を出力する高周波インターフェイスである。送受信制御部１０３は、上記ＲＦ部１０２との間での送受信される信号処理を行うものであり、例えば受信信号について通話／サービス実行部１０４に伝え、相手方の電話番号を受信番号比較部１０５に伝える。
【０００８】
上記通話／サービス実行部１０４は、書き換え可能な情報／ソフトフェア記憶部１０７に記憶された情報／ソフトウェアに対応して上記受信信号に対応した受信動作を行う。この実施例では、未成年者等による使い過ぎ等を防ぐために、電話番号記憶部１０６を備えている。この電話番号記録部１０６は、その契約時に親権者等のようにかかる携帯電話装置の使用状況を管理する者の電話番号が登録される。かかる電話番号は、希望により複数個が優先順位を付して登録されるようにすることができる。この電話番号は、電話番号記録部１０６を有する携帯電話装置自身では書き換えや消去を行うことはできない。上記受信番号比較部１０５は、受信した電話番号と上記電話番号記憶部１０６に記憶された電話番号とを比較して一致したときに、スイッチの形態で示された信号伝達経路を形成して送受信制御部１０３から上記記憶部１０７へのアクセスを可能にしている。なお、携帯電話装置としては、音声入力用のマイクロフォンや受信音声信号を出力するスピーカー、電話番号、文字等を入力するキー部及び表示部を備えるが、これらは通信／サービス実行部１０４に含まれているものと理解されたい。
【０００９】
図２には、記憶部の基本的な情報構造が示されている。図１の上記電話番号記憶部１０６と、書き換え可能な情報／ソフトウェア記録部１０７とを１つの記憶部に構成した例が示されている。同図の記憶部は、電話番号記憶部２０１、書き換え可能な情報記憶部２０４及びソフトウェア記憶部２１１のように分けられる。上記電話番号記憶部２０１は、そのアドレスにより読み出しのアクセスしか許可されないようになっている。
【００１０】
電話番号記憶部２０１の構造は、優先順位部２０２とそれに対応した電話番号部２０３からなる。各機能を制限する際、優先順位の高い電話番号から記憶された条件が優先される。書き換え可能な情報記憶部２０４の構造は、登録ナンバー（No.)２０５、優先順位２０６、動作条件２０７、数値２０８、動作内容２０９、状態２１０からなる情報を単位として複数個設けられる。上記優先順位２０６は、記憶に使用された電話番号の優先順位２０２を記憶する。動作内容２０９の種類としては、動作条件が設定数値を超えた場合に連絡を行う連絡、発信禁止、メール禁止、強制電源オフ等の携帯電話の機能を設定できる。つまり、図示のソフトウェア記憶部２１１において、動作内容２１２とプログラム内容２１３により、動作内容として料金連絡は、通話料金＞数値のときには料金連絡の発信を行う。動作内容として発信禁止は、通話料金＞数値のときには発信禁止を行う。
【００１１】
上記書き換え可能な情報記憶部２０４において、状態２１０は、その機能制限が実行中か否かの状態で、優先順位上位の電話番号から優先順位下位の電話番号から記憶された状態は変更できる。しかし、優先順位下位の電話番号から優先順位上位の電話番号から記憶された状態は変更できない。書き換え可能なソフトウェア記憶部２１１の構造は、動作内容２１２、プログラム内容２１３である。
【００１２】
図３には、基本アルゴリズムの一実施例のフローチャート図が示されている。ステップ３０１でアンテナ１０１から電波を受信する。ステップ３０２でＲＦ部１０２から情報を取り出し送受信制御部１０３に送る。ステップ３０３により送受信制御部１０３で送信元の電話番号を取得する。ステップ３０４で電話番号比較部１０５は送信元の電話番号と電話番号記憶部１０５に記憶された電話番号と比較する。送信元の電話番号と電話番号記憶部１０５に記憶された電話番号が一致した場合、ステップ３０５で書き換え可能な情報／ソフトウェア記憶部１０７の参照／変更／消去／実行等の処理が出来るようにする。送信元が記憶された電話番号でない場合、ステップ３０６で通話／サービス実行部で通話／サービスを実行する。
【００１３】
図４には、詳細アルゴリズムの一実施例のフローチャート図が示されている。この実施例では、記憶部に対するアクセスの例が示されている。ステップ４０１で送信元からの指示として情報の入力／参照／変更／消去／実行／中止を取得する。ステップ４０２で入力／参照／変更／消去／実行／中止の分岐を行う。入力の場合、ステップ４０３で記憶部の空きがあるか判定する。記憶部の空きがある場合、ステップ４０４で送信元からの情報を記憶する。つまり、前記図２の書き換え可能な情報記憶部２０４に割り当てられた登録ナンバー２０５のNo.1〜No.3を調べて、空きがあるときにそこに優先順位２０６、動作条件２０７、数値２０８、動作内容２０９等を入力する。
【００１４】
参照の場合、ステップ４０５で参照する登録ナンバー２０５（No.1〜No.3のいずれか) を取得する。例えば、登録ナンバーNo.1を参照するときには、ステップ４０６でその登録ナンバー（No.1) に情報が存在するか判定する。そのナンバー（No.1) の情報が存在する場合、ステップ４０７でその情報（優先順位２０６、動作条件２０７、数値２０８、動作内容２０９及び状態２１０）を送信元に返信する。
【００１５】
変更の場合、ステップ４０８で登録ナンバー２０５（No.1〜No.3のいずれか) を取得する。例えば、登録ナンバーNo.1を変更するときにはステップ４０９でその登録ナンバー（No.1) の情報が存在するか判定する。その登録ナンバー（No.1) の情報が存在する場合、ステップ４１０でその登録ナンバー(No.) の情報の優先順位２０６と送信元の電話番号の優先順位を比較する。送信元の優先順位が高い場合、ステップ４１１でその登録ナンバー（No.1) の情報を変更する。送信元の優先順位が低い高い場合、その変更は無効とされる。消去／実行／中止の場合は、上記変更と同様の処理を行う。
【００１６】
携帯電話装置が盗難にあったり、紛失した場合等において、上記登録されている他の電話装置からの接続により、前記変更ないし消去等の機能を利用して、上記盗難や紛失した携帯電話装置における電源投入操作を無効にしたり、あるいは発信等のソフトウェア自体を消去又は破壊することにより、電話、メール等の発信機能を強制的に停止させて、悪意の第３者による使用料等が携帯電話装置の使用者に請求されてしまうのを防止することもできる。
【００１７】
図５には、携帯電話装置内部の動作アルゴリズムの一実施例のフローチャート図が示されている。ステップ５０１で変数ｉを０にする。ステップ５０２で情報が記憶されているか判定する。情報が記憶されている場合、ステップ５０３でその情報の状態が実行中か判定する。その情報の状態が実行中の場合、ステップ５０４で端末内部の数値が動作条件と数値を超えているか判定する。数値が超えている場合、ステップ５０５で動作内容を実行する。ステップ５０６で変数ｉを１増加させる。ステップ５０７でｉの値が、記憶部の最大値を超えているか判定する。超えていない場合、ステップ５０２に戻り次の処理を行う。記憶部の最大値を超えている場合動作を終了する。つまり、指定された上限値を超えた使用であると判定して、それぞれの情報に対応して発信やメール着信等が制限される。
【００１８】
携帯電話本体にリミットモードを設け暗証番号とパスワードにより設定するような従来の方法に比べて、本願発明においては、暗証番号やパスワードの代わりに特定の電話番号を記憶し、その特定の電話番号から各機能を制限したり、制限を解除したりするものであるため、記憶した電話番号と動作条件により携帯電話装置の各機能を制限して、携帯電話装置の使い過ぎによる高額料金を防ぐ事が出来る。また、携帯電話装置を紛失した場合、外部より強制的に電源オフ等にする事により、携帯電話装置内のデータの盗難も防止することが出来る。
【００１９】
以上本発明者によってなされた発明を、前記実施形態に基づき具体的に説明したが、本発明は、前記実施形態に限定されるものではなく、その要旨を逸脱しない範囲において種々変更可能である。例えば、前記書き換え可能な情報／ソフトウェア記録部とそれに記憶される情報の構造と、及びその情報に対する入力／参照／変更／消去／実行／中止等を行う手順は、種々の実施形態を取ることができる。この発明は、携帯電話装置に広く利用することができる。
【図面の簡単な説明】
【００２０】
【図１】本発明による携帯電話装置の概略を示すブロック図である。
【図２】本発明による携帯電話装置の記憶部を示すブロック図である。
【図３】本発明による携帯電話装置の基本アルゴリズムを示すフローチャート図である。
【図４】本発明による携帯電話装置の詳細アルゴリズムを示すフローチャート図である。
【図５】本発明による携帯電話装置の端末内部の動作アルゴリズムを示すフローチャート図である。
【符号の説明】
【００２１】
１０１…アンテナ、１０２…ＲＦ部、１０３…送受信制御部、１０４…通話／サービス実行部、１０５…電話番号記憶部、１０６…電話番号比較部、１０７…書き換え可能な情報／ソフトウェア記憶部、２０１…電話番号記憶部、２０２…優先順位、２０３…電話番号、２０４…書き換え可能な情報記憶部、２０５…ナンバー、２０６…優先順位、２０７…動作条件、２０８…数値、２０９…動作内容、２１０…状態、２１１…書き換え可能なソフトウェア記憶部、２１２…動作内容、２１３…プログラム内容
【図１】
2005311482.tif 000003
【図２】
2005311482.tif 000004
【図３】
2005311482.tif 000005
【図４】
2005311482.tif 000006
【図５】
2005311482.tif 000007